(57)【要約】【課題】タオル掛け用の軸部材１２に引っ掛けたタオル９が上下方向において一直線状になった場合でも落下し難いようにする。【解決手段】相手方部材（壁面１）への取付用台座１０と、該台座１０に対して伸縮自在に挿通したタオル掛け用の軸部材１２と、該軸部材１２の先端側に取り付けられたヘッド部１３と、台座１０の軸部材位置よりも上方位置に突設したタオル押え用の爪部材１１とでタオル掛け８を構成したから、軸部材１２へ二つ折りにして引っ掛けられたタオル９の一方側を掴んで引っ張り上げたときに、タオル９の途中が爪部材１１に引っ掛かるようになる。そのため、タオル９がストレートに落下するようなことはない。【選択図】　図１
2004121521.tif 000002
【特許請求の範囲】
【請求項１】
相手方部材への取付用台座と、該台座に対して伸縮自在に挿通したタオル掛け用の軸部材と、該軸部材の先端側に取り付けられたヘッド部と、台座の軸部材位置よりも上方位置に突設したタオル押え用の爪部材とで構成したことを特徴とする伸縮機能付きタオル掛け。
【請求項２】
キッチンや洗面器等のキャビネット又はカウンター等の手前側に取り付けられる台座と、該台座に対して伸縮自在に挿通したタオル掛け用の軸部材と、該軸部材の先端側に取り付けられたヘッド部と、台座の軸部材位置よりも上方位置に突設したタオル押え用の爪部材とで構成したことを特徴とする伸縮機能付きタオル掛け。
【発明の詳細な説明】
【０００１】
【発明の属する技術分野】
本発明は、キッチンや洗面器などのキャビネット又はカウンター等の手前側に取り付けられる伸縮自在なタオル掛けに関するものである。
【０００２】
【従来の技術】
通常、タオル掛けは壁面の二カ所へブラケットを取り付け、該ブラケットに対してタオル掛け用のバー部材を掛け渡しているが、このような固定式のタオル掛けは非使用時においても、これらの部材が露呈したままであるため、かなりのスペースを占有し、洗面動作等の障害になることがあった。
そのため、従来にあっては、例えば図４及び図５に示す特許文献１に記載された技術、並びに図６及び図７に示す特許文献２に記載された技術のように、壁面１に対して進退することでタオル掛け用の軸部材２の長さが伸縮するものが既に開発されている。
【０００３】
これらの特許文献１及び２に記載された技術は、いずれも壁面１に設けた開口２に台座３をスリーブ４及びナット５を介して固定し、台座３の中心に設けた貫通孔を通じて前記スリーブ４内にタオル掛け用の軸部材６を進退自在に内嵌装着している。そして、軸部材６の先端側にヘッド部７を設け、タオルの脱落を防止するようにしている。非使用時には、図４及び図７の図（Ａ）に示すように、軸部材６を奥までいっぱいに押し込んで壁面１よりに位置させ、突出寸法を抑えることにより、洗面使用者等の邪魔にならないようにしている。また使用時には、図５及び図７の図（Ｂ）に示すように、軸部材６を引き出し、適当な寸法の突出寸法にしてタオルを掛けるようにしている。
【０００４】
【特許文献１】
実開平１−８９５１１号公報（図２及び図３参照）
【特許文献２】
実開昭６３−１５５４８３号公報（図１及び図４参照）
【０００５】
【発明が解決しようとする課題】
ところが、前記特許文献１及び２に記載された従来の技術にあっては、タオルを軸部材６へ二つ折りで引っ掛けて係止しておき、使用するときには二つ折りの一方側を引っ張り上げて手を拭いたりしている。そのため、一方側を引っ張り上げたときに、タオルが上下方向において一直線状になり、軸部材６から落下し易くなるという欠点があった。
【０００６】
本発明は従来の前記課題に鑑みてこれを改良除去したものであって、タオル掛け用の軸部材に引っ掛けたタオルが上下方向において一直線状になった場合でも落下し難いタオル掛けを提供せんとするものである。
【０００７】
【課題を解決するための手段】
而して、前記課題を解決するために本発明が採用した請求項１の手段は、相手方部材への取付用台座と、該台座に対して伸縮自在に挿通したタオル掛け用の軸部材と、該軸部材の先端側に取り付けられたヘッド部と、台座の軸部材位置よりも上方位置に突設したタオル押え用の爪部材とで構成したことを特徴とする伸縮機能付きタオル掛けである。
軸部材へ引っ掛けたられたタオルは、二つ折りにされた状態である。この二つ折りの状態から二つ折りの一方側を掴んで引っ張り上げたときに、タオルの途中が爪部材に引っ掛かるようになる。そのため、タオルがストレートに落下するようなことはない。
【０００８】
前記課題を解決するために本発明が採用した請求項２の手段は、キッチンや洗面器等のキャビネット又はカウンター等の手前側に取り付けられる台座と、該台座に対して伸縮自在に挿通したタオル掛け用の軸部材と、該軸部材の先端側に取り付けられたヘッド部と、台座の軸部材位置よりも上方位置に突設したタオル押え用の爪部材とで構成したことを特徴とする伸縮機能付きタオル掛けである。
キッチンや洗面器等のキャビネット又はカウンター等の手前側にタオル掛けが設けられているので、使い勝手がよいばかりでなく、非使用時には、軸部材をキャビネット又はカウンターの中へ押し込んで全体の突出寸法を抑えることが可能であり、有効空間の拡大が図れる。
【０００９】
【発明の実施の形態】
以下に、本発明の構成を図面に示す発明の実施の形態に基づいて説明すると次の通りである。なお、従来の場合と同一符号は同一部材である。図１及び図２は本発明の第１の実施の形態に係るものであり、図１の図（Ａ）はタオル掛け８の斜視図、図（Ｂ）は側面図である。図２の図（Ａ）はタオル９を交換するときの状態を示す側面図、図（Ｂ）は使用状態を示す側面図である。同図に示す如く、この実施の形態にあっては、壁面１に設けられた開口（図示せず）の位置に、台座１０をビス等（図示せず）で固定している。台座１０は、その中心に貫通孔（図示せず）が穿設されており、又取付後の状態において前端面の上端側の位置には、タオルの脱落を防止するための爪部材１１が手前側へ突出して設けられている。台座１０の中心に設けられた貫通孔には従来の場合と同じようにスリーブ等を介して、軸部材１２が進退自在に挿通されている。また軸部材１２の先端側（図２の左側）には、タオル９の抜け落ちを防止するためのヘッド部１３が取り付けられている。
【００１０】
このように構成されたタオル掛け８は、図２の図（Ａ）に示すように、ヘッド部１３を把持して軸部材１２を台座１０から手前側へ引き抜き（軸部材１２を伸長し）、タオル９等の交換を行う。タオル９は二つ折り状態で軸部材１２に引っ掛けて使用する。そして、同図の図（Ｂ）に示すように、ヘッド部１３を押し込んで軸部材１２を退入（縮ませ）させ、タオル９の軸部材１２に引っ掛かっている部分をヘッド部１３と台座１０との間で押圧挟持した状態で使用する。使用に際しては、二つ折りにしたタオル９の一方側を持ち上げて手を拭く等の所定の動作を行えばよい。タオル９の一方側を持ち上げたとき、タオル９は爪部材１１によって折り畳んだその上部側を押さえられ、しかも上述の如く、ヘッド部１３と台座１０との間に押圧挟持されているので、タオル９の端と端が上下方向で一直線状になったとしても床等に脱落するようなことはない。
【００１１】
しかも、タオル９を掛けない状態（非使用時）のときは、ヘッド部１３を爪部材１１へ当接する位置まで押し込んでその突出寸法を押さえるようにすれば、有効な空間領域の拡大を図ることが可能である。またヘッド部１３の前記爪部材１１と当接する位置に凹部又は貫通孔を設け、爪部材１３を係合させるようにすれば、更にタオル掛け８の室内側への突出寸法を抑えることが可能である。
【００１２】
図３は本発明の第２の実施の形態に係るものである。同図に示す如く、この実施の形態にあっては、洗面化粧台１４の洗面器１５の下方で幕板１６の前面側の左側に前記第１の実施の形態に係るタオル掛け８を取り付けている。このような取り付け位置であると、洗面化粧台１４の前面側に使用者が立った状態であっても前記タオル掛け８が使用者の洗面動作や扉１８の開閉動作等と干渉する虞れがない。しかも、非使用時には、ヘッド部１３をキャビネット１７内へ押し込んでおけば、室内有効空間の拡大を一段と図ることが可能である。
【００１３】
ところで、本発明は上述した実施の形態に限定されるものではなく、適宜の変更が可能である。例えば、ヘッド部１３に爪部材１１を設けるようにしてもよい。またヘッド部１３は、軸部材１２から直角に折れ曲がって上方へ伸びる側面から見た場合にＬ字状のものであってもよく、軸部材１２は廻り止めのために角柱状のものであってもよい。更に、本発明は洗面化粧台の他にも、キッチンのキャビネットや洗面カウンター、キッチンカウンター等への適用が可能である。
【００１４】
【発明の効果】
以上説明したように本発明にあっては、相手方部材への取付用台座と、該台座に対して伸縮自在に挿通したタオル掛け用の軸部材と、該軸部材の先端側に取り付けられたヘッド部と、台座の軸部材位置よりも上方位置に突設したタオル押え用の爪部材とでタオル掛けを構成したから、軸部材へ二つ折りにして引っ掛けられたタオルの一方側を掴んで引っ張り上げたときに、タオルの途中が爪部材に引っ掛かるようになる。そのため、タオルがストレートに落下するようなことはない。
【００１５】
また本発明にあっては、キッチンや洗面器等のキャビネット又はカウンター等の手前側に前記構成のタオル掛けを配設したから、キッチンや洗面器等のキャビネット又はカウンター等の手前側に使用者が立ったときに、使い勝手がよい。また非使用時には、軸部材をキャビネット又はカウンターの中へ押し込んで全体の突出寸法を抑えることが可能であり、有効空間の拡大が図れる。
【図面の簡単な説明】
【図１】本発明の第１の実施の形態に係るものであり、図１の図（Ａ）はタオル掛け８の斜視図、図（Ｂ）は側面図である。
【図２】図２の図（Ａ）はタオル９を交換するときの状態を示す側面図、図（Ｂ）は使用状態を示す側面図である。
【図３】本発明の第２の実施の形態に係る洗面化粧台の正面図である。
【図４】特許文献１のタオル掛けを示す側面図である。
【図５】特許文献１のタオル掛けを示す縦断面側面図である。
【図６】特許文献２のタオル掛けを示す縦断面側面図である。
【図７】特許文献２のタオル掛けを示すものであり、図（Ａ）は非使用時の状態を示す斜視図、図（Ｂ）は使用時のときを示す斜視図である。
【符号の説明】
１…壁面、８…タオル掛け、９…タオル、１０…台座、１１…爪部材、１２…軸部材、１３…ヘッド部、１４…タオル掛け、１５…洗面器、１６…幕板、１
７…キャビネット、１８…開閉扉
【図１】
2004121521.tif 000003
【図２】
2004121521.tif 000004
【図３】
2004121521.tif 000005
【図４】
2004121521.tif 000006
【図５】
2004121521.tif 000007
【図６】
2004121521.tif 000008
【図７】
2004121521.tif 000009